(57)【要約】【課題】映像輝度が明るすぎたり暗すぎたりする状態を抑制しながら、映像輝度の不自然な変化に起因した違和感を伴うことなくユーザが快適に視聴することが可能な映像信号出力機器を提供する。【解決手段】この再生装置１（映像信号出力機器）は、映像信号を出力するＨＤＭＩトランスミッタ１５と、テレビジョン装置２から出力される映像の輝度値の最小値Ｚｍｉｎおよび最大値Ｚｍａｘを取得し、映像信号の輝度情報Ｘとテレビジョン装置２の輝度設定情報Ｙとに基づいて輝度値Ｚ０を算出し、映像の輝度値が最小値Ｚｍｉｎを下回らずかつ最大値Ｚｍａｘを上回らないように輝度値Ｚ０を調整する制御部１０とを備える。制御部１０は、最小値Ｚｍｉｎへの接近度合いを緩和しながら最小値Ｚｍｉｎまで到達させ、かつ、最大値Ｚｍａｘへの接近度合いを緩和しながら最大値Ｚｍａｘまで到達させるように輝度値Ｚ０を各々輝度値Ｚｆに調整する。【選択図】図２
2014013990.tif 000002
【特許請求の範囲】
【請求項１】
外部機器に対してコンテンツの映像信号を出力する映像信号出力部と、
前記外部機器から出力される映像の最小輝度値および最大輝度値を取得する取得部と、
前記映像信号が有する輝度情報と前記外部機器に設定されている輝度設定情報とに基づいて、前記外部機器から出力される映像の第１の輝度値を算出する算出部と、
前記外部機器から出力される映像の輝度値が前記最小輝度値を下回らない、かつ、前記最大輝度値を上回らないように、前記第１の輝度値を第２の輝度値に調整する調整部とを備え、
前記調整部は、
前記第１の輝度値が前記最小輝度値よりも所定値だけ大きい第１の閾値以下となる第１区間では、前記最小輝度値への接近度合いを緩和しながら前記最小輝度値まで到達させるように前記第１の輝度値を前記第２の輝度値に調整するとともに、
前記第１の輝度値が前記最大輝度値よりも所定値だけ小さい第２の閾値以上となる第２区間では、前記最大輝度値への接近度合いを緩和しながら前記最大輝度値まで到達させるように前記第１の輝度値を前記第２の輝度値に調整する、映像信号出力機器。
【請求項２】
前記調整部は、前記第１区間については、前記第２の輝度値が前記第１の閾値から前記最小輝度値に向けて接近度合いを緩和しながら前記最小輝度値まで減少するように前記第１の輝度値を調整するとともに、前記第２区間については、前記第２の輝度値が前記第２の閾値から前記最大輝度値に向けて接近度合いを緩和しながら前記最大輝度値まで増加するように前記第１の輝度値を調整する、請求項１に記載の映像信号出力機器。
【請求項３】
前記調整部は、前記最小輝度値近傍または前記最大輝度値近傍において、補正係数を用いて前記最小輝度値または前記最大輝度値への接近度合いをそれぞれ緩和しながら前記最小輝度値または前記最大輝度値まで到達させるように前記第１の輝度値を前記第２の輝度値に調整するように構成されており、
前記補正係数は、前記第１の輝度値と前記最小輝度値との差分、および、前記第１の輝度値と前記最大輝度値との差分に応じて予め複数設定されており、
前記調整部は、前記第１の輝度値と前記最小輝度値または前記最大輝度値との差分に応じて設定された前記補正係数を対応する前記第１の輝度値毎に乗じて補正することにより前記最小輝度値または前記最大輝度値への接近度合いを緩和しながら前記最小輝度値または前記最大輝度値まで到達させるように前記第１の輝度値を前記第２の輝度値に調整する、請求項１または２に記載の映像信号出力機器。
【請求項４】
目視確認用の映像が、前記映像信号出力部から前記外部機器に出力されるように構成されており、
前記最小輝度値および前記最大輝度値は、前記外部機器から出力された前記目視確認用の映像の輝度値が、ユーザにより前記目視確認用の映像が目視されながら調整されることによって予め設定可能であるように構成されている、請求項１〜３のいずれか１項に記載の映像信号出力機器。
【請求項５】
前記取得部は、前記外部機器に設定されている前記輝度設定情報を取得するように構成されており、
前記算出部は、前記コンテンツを再生する際に、前記コンテンツの映像信号が有する前記輝度情報と前記取得部により取得された前記輝度設定情報とに基づいて前記第１の輝度値を順次再生前に算出し、
前記調整部は、前記外部機器から出力される映像の輝度値が前記最小輝度値を下回らない、かつ、前記最大輝度値を上回らないように、前記算出部により順次再生前に算出された前記第１の輝度値を前記第２の輝度値に調整する、請求項１〜４のいずれか１項に記載の映像信号出力機器。
【請求項６】
映像を出力する外部機器と、
前記外部機器に対してコンテンツの映像信号を出力する映像信号出力部と、前記外部機器から出力される映像の最小輝度値および最大輝度値を取得する取得部と、前記映像信号が有する輝度情報と前記外部機器に設定されている輝度設定情報とに基づいて、前記外部機器から出力される映像の第１の輝度値を算出する算出部と、前記外部機器から出力される映像の輝度値が前記最小輝度値を下回らない、かつ、前記最大輝度値を上回らないように、前記第１の輝度値を第２の輝度値に調整する調整部とを含む映像信号出力機器とを備え、
前記映像信号出力機器の前記調整部は、
前記第１の輝度値が前記最小輝度値よりも所定値だけ大きい第１の閾値以下となる第１区間では、前記最小輝度値への接近度合いを緩和しながら前記最小輝度値まで到達させるように前記第１の輝度値を前記第２の輝度値に調整するとともに、
前記第１の輝度値が前記最大輝度値よりも所定値だけ小さい第２の閾値以上となる第２区間では、前記最大輝度値への接近度合いを緩和しながら前記最大輝度値まで到達させるように前記第１の輝度値を前記第２の輝度値に調整する、映像出力システム。
【発明の詳細な説明】
【技術分野】
【０００１】
この発明は、映像信号出力機器および映像出力システムに関し、特に、コンテンツの映像信号を外部機器に出力する映像信号出力機器および映像出力システムに関する。
【背景技術】
【０００２】
従来、コンテンツの映像信号を外部機器に出力する表示システムなどが知られている（たとえば、特許文献１参照）。
【０００３】
上記特許文献１には、映像／音声信号を出力する出力機器（ソース機器）と、この出力機器から出力された映像信号を表示するとともに音声信号を音声出力する表示装置（シンク機器）とを備えた表示システムが開示されている。この表示システムでは、出力機器から表示装置へ映像信号が出力される際、出力機器側のパラメータ（画面の明るさや映像輝度などの諸設定値）が表示装置側で処理可能な範囲に自動的に調整されるように構成されている。すなわち、出力機器が有する設定値のうち表示装置側において適切と判断されない範囲に属する設定値は、表示装置側で適切（処理可能）とされる設定値の上限値または下限値に一律に合わせ込まれる制御が行われるように構成されている。これにより、映像中に輝度が明るすぎる部分や暗すぎる部分を生じさせることなく映像を表示させることが可能である。
【先行技術文献】
【特許文献】
【０００４】
【特許文献１】特開２００９−２７６０１号公報
【発明の概要】
【発明が解決しようとする課題】
【０００５】
しかしながら、上記特許文献１に記載された表示システムでは、出力機器側の設定値のうち表示装置側では適切と判断されない設定値の全てが表示装置側で適切とされる設定値の上限値または下限値に一律に合わせ込まれるため、表示装置から出力される映像輝度などの変化（輝度の増加または減少）が設定値の上限値または下限値に達した途端に突然止まってしまうと考えられる。すなわち、ユーザが表示装置を介して視聴する映像の輝度値が不自然な変化を起こしてしまうため、このような輝度変化を伴うコンテンツを視聴するユーザに対して違和感を与えるという問題点がある。
【０００６】
この発明は、上記のような課題を解決するためになされたものであり、この発明の１つの目的は、映像中に輝度の明るすぎる部分や暗すぎる部分が生じるのを抑制しながら、輝度の不自然な変化に起因した違和感を伴うことなくユーザが快適に視聴することが可能な映像信号出力機器および映像出力システムを提供することである。
【課題を解決するための手段】
【０００７】
この発明の第１の局面による映像信号出力機器は、外部機器に対してコンテンツの映像信号を出力する映像信号出力部と、外部機器から出力される映像の最小輝度値および最大輝度値を取得する取得部と、映像信号が有する輝度情報と外部機器に設定されている輝度設定情報とに基づいて、外部機器から出力される映像の第１の輝度値を算出する算出部と、外部機器から出力される映像の輝度値が最小輝度値を下回らない、かつ、最大輝度値を上回らないように、第１の輝度値を第２の輝度値に調整する調整部とを備え、調整部は、第１の輝度値が最小輝度値よりも所定値だけ大きい第１の閾値以下となる第１区間では、最小輝度値への接近度合いを緩和しながら最小輝度値まで到達させるように第１の輝度値を第２の輝度値に調整するとともに、第１の輝度値が最大輝度値よりも所定値だけ小さい第２の閾値以上となる第２区間では、最大輝度値への接近度合いを緩和しながら最大輝度値まで到達させるように第１の輝度値を第２の輝度値に調整する。
【０００８】
この発明の第１の局面による映像信号出力機器では、上記のように、調整部が、第１の輝度値が最小輝度値よりも所定値だけ大きい第１の閾値以下となる第１区間では、最小輝度値への接近度合いを緩和しながら最小輝度値まで到達させるように第１の輝度値を第２の輝度値に調整するとともに、第１の輝度値が最大輝度値よりも所定値だけ小さい第２の閾値以上となる第２区間では、最大輝度値への接近度合いを緩和しながら最大輝度値まで到達させるように第１の輝度値を第２の輝度値に調整することによって、外部機器から出力される映像の輝度値が第１区間において最小輝度値を下回らない、かつ、第２区間において最大輝度値を上回らないように第１の輝度値が第２の輝度値にそれぞれ調整される際、最小輝度値近傍または最大輝度値近傍においては、各々の輝度値（最小輝度値または最大輝度値）への接近度合いを加味しながら到達するように第１の輝度値が第２の輝度値へと調整されるので、最小輝度値近傍（第１区間）または最大輝度値近傍（第２区間）の輝度値が最小輝度値または最大輝度値に一律に（接近度合いを緩和せずに）合わせ込まれる場合と異なり、最小輝度値近傍または最大輝度値近傍での輝度値の変化をより滑らかに再現することができる。この結果、ユーザは、最小輝度値近傍（第１区間）および最大輝度値近傍（第２区間）における映像輝度の不自然な変化に起因した違和感を伴うことなくコンテンツを快適に視聴することができる。また、上記のように、調整部が、外部機器から出力される映像の輝度値が最小輝度値を下回らない、かつ、最大輝度値を上回らないように第１の輝度値を第２の輝度値に調整することによって、映像中に輝度が明るすぎる部分や暗すぎる部分を生じさせることなく外部機器から映像を出力させることができる。
【０００９】
また、第１の局面による映像信号出力機器では、上記のように、映像信号が有する輝度情報と外部機器に設定されている輝度設定情報とに基づいて、外部機器から出力される映像の第１の輝度値を算出する算出部を備えることによって、コンテンツの映像信号を外部機器から出力させる際に、コンテンツの輝度情報と外部機器の輝度設定情報とに基づいて第１の輝度値が算出される場合においても、算出された第１の輝度値に対する第２の輝度値へのさらなる調整が行われるので、本発明における輝度値の調整制御を有効に働かせることができる。
【００１０】
上記第１の局面による映像信号出力機器において、好ましくは、調整部は、第１区間については、第２の輝度値が第１の閾値から最小輝度値に向けて接近度合いを緩和しながら最小輝度値まで減少するように第１の輝度値を調整するとともに、第２区間については、第２の輝度値が第２の閾値から最大輝度値に向けて接近度合いを緩和しながら最大輝度値まで増加するように第１の輝度値を調整する。このように構成すれば、最小輝度値側については、最小輝度値の手前側の若干大きな輝度値（第１の閾値）の状態から最小輝度値を若干下回った輝度値までの範囲に向けて変化する調整前の第１の輝度値を、最小輝度値への接近度合いを緩和させながら最小輝度値まで到達（減少）させることができる。反対に、最大輝度値側については、最大輝度値の手前側の若干小さな輝度値（第２の閾値）の状態から最大輝度値を若干上回った輝度値までの範囲に向けて変化する調整前の第１の輝度値を、最大輝度値への接近度合いを緩和させながら最大輝度値まで到達（増加）させることができる。これにより、最小輝度値近傍および最大輝度値近傍での調整後の第２の輝度値の滑らかな変化を、容易にかつ自然に実現することができる。
【００１１】
上記第１の局面による映像信号出力機器において、好ましくは、調整部は、最小輝度値近傍または最大輝度値近傍において、補正係数を用いて最小輝度値または最大輝度値への接近度合いをそれぞれ緩和しながら最小輝度値または最大輝度値まで到達させるように第１の輝度値を第２の輝度値に調整するように構成されており、補正係数は、第１の輝度値と最小輝度値との差分、および、第１の輝度値と最大輝度値との差分に応じて予め複数設定されており、調整部は、第１の輝度値と最小輝度値または最大輝度値との差分に応じて設定された補正係数を対応する第１の輝度値毎に乗じて補正することにより最小輝度値または最大輝度値への接近度合いを緩和しながら最小輝度値または最大輝度値まで到達させるように第１の輝度値を第２の輝度値に調整する。このように構成すれば、映像の輝度値に関する最小輝度値および最大輝度値がどのような範囲で設定されていても、調整前の第１の輝度値と最小輝度値または最大輝度値との差分に応じて予め複数設定された補正係数を用いて、最小輝度値近傍（第１区間）および最大輝度値近傍（第２区間）における第１の輝度値を簡便な方法で第２の輝度値へと容易に調整することができる。
【００１２】
上記第１の局面による映像信号出力機器において、好ましくは、目視確認用の映像が、映像信号出力部から外部機器に出力されるように構成されており、最小輝度値および最大輝度値は、外部機器から出力された目視確認用の映像の輝度値が、ユーザにより目視確認用の映像が目視されながら調整されることによって予め設定可能であるように構成されている。このように構成すれば、外部機器から出力される映像の輝度値に関する最小輝度値および最大輝度値を、ユーザの好みに合わせてコンテンツの視聴前に設定することができる。これにより、ユーザは、より快適な視聴を行うことができる。
【００１３】
上記第１の局面による映像信号出力機器において、好ましくは、取得部は、外部機器に設定されている輝度設定情報を取得するように構成されており、算出部は、コンテンツを再生する際に、コンテンツの映像信号が有する輝度情報と取得部により取得された輝度設定情報とに基づいて第１の輝度値を順次再生前に算出し、調整部は、外部機器から出力される映像の輝度値が最小輝度値を下回らない、かつ、最大輝度値を上回らないように、算出部により順次再生前に算出された第１の輝度値を第２の輝度値に調整する。このように構成すれば、コンテンツの再生と同時に外部機器から出力される映像の第１の輝度値を逐次的に第２の輝度値へと調整することができるので、コンテンツに含まれる全ての映像信号に対する輝度値（第１の輝度値）の調整を先に行った後に、調整後の輝度値（第２の輝度値）に基づいてコンテンツを再生する場合と異なり、コンテンツの再生動作を遅延させることなく調整された第２の輝度値に基づいてコンテンツを再生することができる。これにより、輝度値の調整が行われたコンテンツであっても再生動作に遅延が生じない分、ユーザは快適な視聴を行うことができる。
【００１４】
この発明の第２の局面による映像出力システムは、映像を出力する外部機器と、外部機器に対してコンテンツの映像信号を出力する映像信号出力部と、外部機器から出力される映像の最小輝度値および最大輝度値を取得する取得部と、映像信号が有する輝度情報と外部機器に設定されている輝度設定情報とに基づいて、外部機器から出力される映像の第１の輝度値を算出する算出部と、外部機器から出力される映像の輝度値が最小輝度値を下回らない、かつ、最大輝度値を上回らないように、第１の輝度値を第２の輝度値に調整する調整部とを含む映像信号出力機器とを備え、映像信号出力機器の調整部は、第１の輝度値が最小輝度値よりも所定値だけ大きい第１の閾値以下となる第１区間では、最小輝度値への接近度合いを緩和しながら最小輝度値まで到達させるように第１の輝度値を第２の輝度値に調整するとともに、第１の輝度値が最大輝度値よりも所定値だけ小さい第２の閾値以上となる第２区間では、最大輝度値への接近度合いを緩和しながら最大輝度値まで到達させるように第１の輝度値を第２の輝度値に調整する。
【００１５】
この発明の第２の局面による映像出力システムでは、上記のように、映像信号出力機器の調整部が、第１の輝度値が最小輝度値よりも所定値だけ大きい第１の閾値以下となる第１区間では、最小輝度値への接近度合いを緩和しながら最小輝度値まで到達させるように第１の輝度値を第２の輝度値に調整するとともに、第１の輝度値が最大輝度値よりも所定値だけ小さい第２の閾値以上となる第２区間では、最大輝度値への接近度合いを緩和しながら最大輝度値まで到達させるように第１の輝度値を第２の輝度値に調整することによって、外部機器から出力される映像の輝度値が第１区間において最小輝度値を下回らない、かつ、第２区間において最大輝度値を上回らないように第１の輝度値が第２の輝度値にそれぞれ調整される際、最小輝度値近傍または最大輝度値近傍においては、各々の輝度値（最小輝度値または最大輝度値）への接近度合いを加味しながら到達するように第１の輝度値が第２の輝度値へと調整されるので、最小輝度値近傍（第１区間）または最大輝度値近傍（第２区間）の輝度値が最小輝度値または最大輝度値に一律に（接近度合いを緩和せずに）合わせ込まれる場合と異なり、最小輝度値近傍または最大輝度値近傍での輝度値の変化をより滑らかに再現することができる。この結果、ユーザは、最小輝度値近傍（第１区間）および最大輝度値近傍（第２区間）における映像輝度の不自然な変化に起因した違和感を伴うことなくコンテンツを快適に視聴することができる。また、上記のように、映像信号出力機器の調整部が、外部機器から出力される映像の輝度値が最小輝度値を下回らない、かつ、最大輝度値を上回らないように第１の輝度値を第２の輝度値に調整することによって、映像中に輝度が明るすぎる部分や暗すぎる部分を生じさせることなく外部機器から映像を出力させることができる。
【００１６】
また、第２の局面による映像出力システムでは、上記のように、映像信号出力機器が、映像信号が有する輝度情報と外部機器に設定されている輝度設定情報とに基づいて、外部機器から出力される映像の第１の輝度値を算出する算出部を含むことによって、コンテンツの映像信号を外部機器から出力させる際に、コンテンツの輝度情報と外部機器の輝度設定情報とに基づいて第１の輝度値が算出される場合においても、算出された第１の輝度値に対する第２の輝度値へのさらなる調整が行われるので、本発明における輝度値の調整作用を有効に働かせることができる。
【発明の効果】
【００１７】
本発明によれば、上記のように、映像中に輝度の明るすぎる部分や暗すぎる部分が生じるのを抑制しながら、ユーザは、映像輝度の不自然な変化に起因した違和感を伴うことなくコンテンツを快適に視聴することができる。
【図面の簡単な説明】
【００１８】
【図１】本発明の一実施形態による音声映像出力システムの制御構成を示したブロック図である。
【図２】本発明の一実施形態による音声映像出力システムにおいて、テレビジョン装置から出力されるコンテンツの映像輝度を調整する手法を説明するための模式図である。
【図３】本発明の一実施形態による音声映像出力システムにおいて、テレビジョン装置から出力される映像の輝度を調整する際に適用される補正係数テーブルを示した図である。
【図４】本発明の一実施形態による音声映像出力システムにおいて、ユーザが輝度に関する閾値を設定する際に用いられる設定画面の構成および操作態様を示した図である。
【図５】本発明の一実施形態による音声映像出力システムにおいて、ユーザが輝度に関する閾値を設定する際の再生装置の制御部の処理フローを示した図である。
【図６】本発明の一実施形態による音声映像出力システムにおいて、映像輝度が調整された状態で外部機器から出力される際の再生装置の制御部の処理フローを示した図である。
【発明を実施するための形態】
【００１９】
以下、本発明の実施形態を図面に基づいて説明する。
【００２０】
まず、図１〜図４を参照して、本発明の一実施形態による音声映像出力システム１００の構造について説明する。なお、音声映像出力システム１００は、本発明の「映像出力システム」の一例である。
【００２１】
本発明の一実施形態による音声映像出力システム１００は、図１に示すように、再生装置１とテレビジョン装置２とを備えている。また、再生装置１とテレビジョン装置２とは、ＨＤＭＩ規格に対応した接続ケーブル３によって互いに接続されている。これにより、再生装置１が再生するコンテンツの音声信号および映像信号が、接続ケーブル３を介してテレビジョン装置２に対して出力されるように構成されている。また、再生装置１には操作用のリモコン４が付属されている。なお、再生装置１およびテレビジョン装置２は、それぞれ、本発明の「映像信号出力機器」および「外部機器」の一例である。
【００２２】
ソース機器としての再生装置１は、制御部１０と、再生部１１と、ＯＳＤ部１２と、主メモリ（ＲＡＭ）１３と、フラッシュメモリ（ＲＯＭ）１４と、ＨＤＭＩトランスミッタ１５と、接続ケーブル３が接続されるＨＤＭＩ端子１６と、操作信号受信部１７とを備えている。
【００２３】
制御部１０は、ＣＰＵからなり、制御プログラムを実行することにより再生装置１の動作制御を担う。再生部１１は、ＶＨＳテープ、ＤＶＤ、ＢＤ、ＬＤ、ＵＳＢメモリ、ＳＤカードおよびＨＤＤなどの多様な記憶媒体に記憶されたコンテンツ（音声信号および映像信号）を読み出す機能を有している。ＯＳＤ部１２は、再生部１１によって読み出された映像信号にオンスクリーン情報を加算する機能を有している。なお、制御部１０は、本発明の「取得部」、「算出部」および「調整部」の一例である。
【００２４】
主メモリ１３は、制御プログラムが実行される際に用いられる制御上のパラメータを一時的に保存する作業用メモリとして用いられる。また、主メモリ１３には、制御部１０の指令に基づいて、コンテンツ全体の音声信号および映像信号が再生前（テレビジョン装置２に出力される前）に一時的に記憶されるように構成されている。ここで、コンテンツを構成する映像信号には、映像の輝度に関する輝度情報Ｘが含まれている。また、フラッシュメモリ１４には、制御部１０が実行する制御プログラムなどが格納されている。
【００２５】
ＨＤＭＩトランスミッタ１５は、コンテンツ（音声信号および映像信号）をデジタル信号としてテレビジョン装置２に出力する機能と、テレビジョン装置２とのＣＥＣ規格に基づいたＣＥＣ制御信号の通信（双方向通信）を行う機能とを有している。また、ＨＤＭＩトランスミッタ１５は、制御部１０の指令に基づきＣＥＣ制御信号を用いてテレビジョン装置２が有する後述する輝度設定情報Ｙを取得可能に構成されている。また、操作信号受信部１７は、再生装置１に付属する送信部４ａを有するリモコン４からの制御信号を受信する機能を有している。なお、ＨＤＭＩトランスミッタ１５は、本発明の「映像信号出力部」の一例である。
【００２６】
また、シンク機器としてのテレビジョン装置２は、図１に示すように、制御部２０と、主メモリ（ＲＡＭ）２１と、フラッシュメモリ（ＲＯＭ）２２と、ＨＤＭＩトランスミッタ２３と、接続ケーブル３が接続されるＨＤＭＩ端子２４と、スピーカ部２５と、映像出力部２６とを備えている。
【００２７】
制御部２０は、制御プログラムを実行することによりテレビジョン装置２全体の動作制御を行う役割を有している。主メモリ２１は、制御プログラムが実行される際に用いられる制御上のパラメータなどを一時的に保存する作業用メモリとして用いられる。また、主メモリ２１には、テレビジョン装置２が有する輝度設定情報Ｙが記憶されている。また、フラッシュメモリ２２には、制御部２０が実行する制御プログラムなどが格納されている。
【００２８】
また、ＨＤＭＩトランスミッタ２３は、再生装置１からの音声信号および映像信号を受け付ける機能と、再生装置１とのＣＥＣ制御信号の通信（双方向通信）を行う機能とを有している。また、スピーカ部２５は、コンテンツを構成する音声信号に基づいて音声を出力する機能を有している。
【００２９】
映像出力部２６は、映像信号変換部２６ａと、映像信号処理部２６ｂと、表示部２６ｃとを有している。映像信号変換部２６ａは、デジタル形式の映像信号をアナログ形式に変換する機能を有している。映像信号処理部２６ｂは、映像信号変換部２６ａを経由した再生装置１からの映像信号（アナログ信号）を輝度設定情報Ｙに基づいて処理する機能を有している。また、表示部２６ｃは、映像信号処理部２６ｂによって処理された映像信号を表示する機能を有している。
【００３０】
ここで、本実施形態では、再生装置１が再生するコンテンツの映像信号がテレビジョン装置２（表示部２６ｃ）から出力される際、再生装置１の制御部１０は、コンテンツの映像信号に含まれる輝度情報Ｘ（図１参照）と、予め取得されたテレビジョン装置２が有する輝度設定情報Ｙ（図１参照）とに基づいて映像の輝度値（後述する輝度値Ｚ０）を算出するとともに、算出された輝度値が所定の閾値（後述する輝度値の最小値Ｚｍｉｎおよび最大値Ｚｍａｘ）を超えないように調整する制御を行うように構成されている。これにより、どのようなコンテンツについても、表示部２６ｃが表示する映像の輝度が明るすぎたり暗すぎたりしない状態でユーザは視聴することが可能とされている。以下、この点について詳細に説明する。
【００３１】
具体的には、まず、再生装置１において、輝度情報Ｘと輝度設定情報Ｙとの平均値（＝（輝度情報Ｘ＋輝度設定情報Ｙ）／２）が算出されることにより、調整前の輝度値Ｚ０が求められる。その後、制御部１０により、算出された輝度値Ｚ０が所定の閾値（輝度値の最小値Ｚｍｉｎおよび最大値Ｚｍａｘ）以内であるか否かが画素毎に直ちに判断されて、輝度値Ｚ０がこの閾値を超えている画素については閾値を超えないように輝度値Ｚ０を輝度値Ｚｆに補正する制御が行われる。そして、補正された輝度値Ｚｆを有する映像信号が、ＨＤＭＩトランスミッタ１５からテレビジョン装置２に順次出力されるように構成されている。なお、輝度値Ｚ０の算出とその後の調整制御については、映像信号を構成する個々の画素に対して逐次的に行われる。なお、輝度値Ｚ０および輝度値Ｚｆは、それぞれ、本発明の「第１の輝度値」および「第２の輝度値」の一例である。
【００３２】
ここで、輝度値の調整の基準値となる上記した閾値には、輝度値の最小値Ｚｍｉｎおよび最大値Ｚｍａｘ（Ｚｍｉｎ＜Ｚｍａｘ）が適用される。この場合、最小値Ｚｍｉｎおよび最大値Ｚｍａｘは、テレビジョン装置２を介した操作により再生装置１側で予めユーザにより設定されるように構成されている。また、再生装置１で設定された最小値Ｚｍｉｎおよび最大値Ｚｍａｘは、主メモリ１３（図１参照）に記憶されており、必要に応じて制御部１０により主メモリ１３から取得される。つまり、本実施形態では、コンテンツの映像信号がＨＤＭＩトランスミッタ１５からテレビジョン装置２（表示部２６ｃ）に出力される際、輝度情報Ｘと輝度設定情報Ｙとの相加平均として求められた輝度値Ｚ０が、最小値Ｚｍｉｎと最大値Ｚｍａｘとの間に収まるようにさらなる調整（補正）が加えられて輝度値Ｚｆとなった状態で映像信号に付加されるように構成されている。なお、最小値Ｚｍｉｎおよび最大値Ｚｍａｘは、それぞれ、本発明の「最小輝度値」および「最大輝度値」の一例である。
【００３３】
また、本実施形態では、制御部１０により、輝度値Ｚ０が閾値としての最小値Ｚｍｉｎと最大値Ｚｍａｘとの間に収まるか否かが判断される際、輝度値Ｚ０がこの閾値近傍である場合（最小値Ｚｍｉｎ近傍または最大値Ｚｍａｘ近傍である場合）においては、輝度値Ｚ０の大きさ（閾値と輝度値Ｚ０との差分ΔＺ）に応じて、補正後の輝度値Ｚｆは、閾値への接近度合いが画素毎に異なるように調整される。これにより、閾値近傍（最小値Ｚｍｉｎ近傍または最大値Ｚｍａｘ近傍）においては、輝度値Ｚｆの増加（または減少）とともに閾値への接近度合いが緩和されながら輝度値Ｚｆが閾値まで到達されるように、画素毎の輝度値Ｚｆが調整される。すなわち、図２に示すように、補正前の輝度値Ｚ０のままでは１本の直線（破線）で示される単調な増加または減少の推移しか得られない一方、補正後の輝度値Ｚｆにおいては、閾値近傍（最小値Ｚｍｉｎ近傍または最大値Ｚｍａｘ近傍）において閾値に接近すればする程、接近の度合いが弱められるような推移を辿るようになる。
【００３４】
ここで、輝度値Ｚ０から輝度値Ｚｆへの調整制御に関して、図２を参照してより詳細に説明する。
【００３５】
まず、最小値Ｚｍｉｎ近傍の輝度値は、最小値Ｚｍｉｎよりも若干大きい値を含んでいる。そして、輝度値Ｚ０が最小値Ｚｍｉｎよりも若干大きい場合（区間Ｍ１）には、最小値Ｚｍｉｎよりも大きい側から最小値Ｚｍｉｎに向けて接近度合いを緩和しながら最小値Ｚｍｉｎまで減少させるように個々の輝度値Ｚ０は輝度値Ｚｆに調整される。なお、図２において、最小値Ｚｍｉｎに向けて区間Ｍ１が開始される（輝度値Ｚｆの緩和が開始される）位置に対応する調整前の輝度値Ｚ０は、本発明の「第１の閾値」の一例である。また、上記輝度値Ｚ０が最小値Ｚｍｉｎよりも若干大きい場合に加えて、最小値Ｚｍｉｎよりも若干小さい場合（区間Ｍ２）においても、最小値Ｚｍｉｎよりも大きい側から最小値Ｚｍｉｎに向けて接近度合いを緩和しながら最小値Ｚｍｉｎまで減少させるように個々の輝度値Ｚ０は輝度値Ｚｆに調整される。また、輝度値Ｚｆは、区間Ｍ１における最小値Ｚｍｉｎへの接近度合いが区間Ｍ２に引き継がれるとともにその緩和がさらに図られて最小値Ｚｍｉｎまで到達される。なお、区間Ｍ１および区間Ｍ２は、本発明の「第１区間」の一例である。
【００３６】
また、上記と同様の調整制御が最大値Ｚｍａｘ側に対しても行われる。すなわち、最大値Ｚｍａｘ近傍の輝度値は、最大値Ｚｍａｘよりも若干小さい値を含んでいる。そして、輝度値Ｚ０が最大値Ｚｍａｘよりも若干小さい場合（区間Ｍ４）には、最大値Ｚｍａｘよりも小さい側から最大値Ｚｍａｘに向けて接近度合いを緩和しながら最大値Ｚｍａｘまで増加させるように個々の輝度値Ｚ０は輝度値Ｚｆに調整される。なお、図２において、最大値Ｚｍａｘに向けて区間Ｍ４が開始される（輝度値Ｚｆの緩和が開始される）位置に対応する調整前の輝度値Ｚ０は、本発明の「第２の閾値」の一例である。また、上記輝度値Ｚ０が最大値Ｚｍａｘよりも若干小さい場合に加えて、最大値Ｚｍａｘよりも若干大きい場合（区間Ｍ５）においても、最大値Ｚｍａｘよりも小さい側から最大値Ｚｍａｘに向けて接近度合いを緩和しながら最大値Ｚｍａｘまで増加させるように個々の輝度値Ｚ０は輝度値Ｚｆに調整される。また、輝度値Ｚｆは、区間Ｍ４における最大値Ｚｍａｘへの接近度合いが区間Ｍ５に引き継がれるとともにその緩和がさらに図られて最大値Ｚｍａｘまで到達される。なお、区間Ｍ４および区間Ｍ５は、本発明の「第２区間」の一例である。
【００３７】
これにより、最小値Ｚｍｉｎ近傍の調整後の輝度値Ｚｆの推移は、最小値Ｚｍｉｎに接近すればする程、接近の度合い（減少率）が弱められる。また、最大値Ｚｍａｘ近傍の調整後の輝度値Ｚｆの推移は、最大値Ｚｍａｘに接近すればする程、接近の度合い（増加率）が弱められる。すなわち、調整後の輝度値Ｚｆは、図２における輝度値Ｚ０のような単一の接近度合い（グラフの傾き）で最小値Ｚｍｉｎまたは最大値Ｚｍａｘに到達するような推移を辿らない。
【００３８】
また、本実施形態では、平均値として算出された輝度値Ｚ０から輝度値Ｚｆへの調整の際に、再生装置１側で予め設定された補正係数γ（図３参照）を用いて個々の画素の輝度値を調整（補正）する制御が行われる。すなわち、輝度値Ｚｆは、輝度値Ｚ０に補正係数γを乗じた値（Ｚｆ＝Ｚ０×γ）として算出される。この場合、図３に示すように、補正係数γは、調整前の輝度値Ｚ０と閾値（最小値Ｚｍｉｎまたは最大値Ｚｍａｘ）との差分ΔＺに応じて個別に設定されている。また、差分ΔＺに応じて複数（１８個）設定されている補正係数γ（γ１〜γ１９）は、補正係数テーブル５にまとめられた状態で主メモリ１３に記憶されている。
【００３９】
ここで、補正係数テーブル５について説明する。補正係数テーブル５には、調整前の輝度値Ｚ０と閾値（最小値Ｚｍｉｎまたは最大値Ｚｍａｘ）との差分ΔＺ（＝Ｚ０−ＺｍｉｎまたはＺ０−Ｚｍａｘ）に応じた補正係数γが設定されている。具体的には、Ａ欄を参照して、最小値Ｚｍｉｎ側においては、差分ΔＺ（＝Ｚ０−Ｚｍｉｎ）は、合計９通り（−ｓ１≦ΔＺ＜−ｓ２、−ｓ２≦ΔＺ＜−ｓ３、−ｓ３≦ΔＺ＜−ｓ４、−ｓ４≦ΔＺ＜−ｓ５、−ｓ５≦ΔＺ＜０、および、０≦ΔＺ＜＋ｓ６、＋ｓ６≦ΔＺ＜＋ｓ７、＋ｓ７≦ΔＺ＜＋ｓ８、＋ｓ８≦ΔＺ＜＋ｓ９）（ここに、ｓ１＞ｓ２＞ｓ３＞ｓ４＞ｓ５であり、ｓ６＜ｓ７＜ｓ８＜ｓ９である）の条件範囲に区分されている。そして、各々の条件に応じて、補正係数γ（％）は、γ１（％）〜γ９（％）まで設定されている。たとえば、条件：−ｓ２≦ΔＺ＜−ｓ３の範囲に存在する輝度値Ｚ０には補正係数γ２が乗じられて、輝度値Ｚｆ＝Ｚ０×γ２として補正される。なお、Ａ欄において最上段から下方に向かって５段目までの差分ΔＺは、調整前の輝度値Ｚ０が最小値Ｚｍｉｎよりも若干小さい場合（区間Ｍ２）を示している。また、６段目から９段目までの差分ΔＺは、調整前の輝度値Ｚ０が最小値Ｚｍｉｎよりも若干大きい場合（区間Ｍ１）を示している。したがって、γ１〜γ９については、γ１が最も大きい値（Ｚ０からＺｆへの増加幅が最大）でありγ９が最も小さい値（Ｚ０からＺｆへの増加幅が最小）に設定されている。
【００４０】
また、最大値Ｚｍａｘ側（Ｂ欄参照）についてはＢ欄に規定されている。Ａ欄の場合と同様に、差分ΔＺは、合計９通り（＋ｄ２＜ΔＺ≦＋ｄ１、＋ｄ３＜ΔＺ≦＋ｄ２、＋ｄ４＜ΔＺ≦＋ｄ３、＋ｄ５＜ΔＺ≦＋ｄ４、０＜ΔＺ≦＋ｄ５、および、−ｄ６＜ΔＺ≦０、−ｄ７＜ΔＺ≦−ｄ６、−ｄ８＜ΔＺ≦−ｄ７、−ｄ９＜ΔＺ≦−ｄ８）（ここに、ｄ１＞ｄ２＞ｄ３＞ｄ４＞ｄ５であり、ｄ６＜ｄ７＜ｄ８＜ｄ９である）の条件範囲に区分されている。そして、各々の条件に応じて、補正係数γ（％）は、γ１１（％）〜γ１９（％）まで設定されている。たとえば、条件：−ｄ７＜ΔＺ≦−ｄ６の範囲に存在する輝度値Ｚ０には補正係数γ１７が乗じられて、輝度値Ｚｆ＝Ｚ０×γ１７として補正される。なお、Ｂ欄において最上段から下に向かって５段目までの差分ΔＺは、調整前の輝度値Ｚ０が最大値Ｚｍａｘよりも若干大きい場合（区間Ｍ５）を示しており、６段目から９段目までの差分ΔＺは、調整前の輝度値Ｚ０が最大値Ｚｍａｘよりも若干小さい場合（区間Ｍ４）を示している。したがって、γ１１〜γ１９については、γ１１が最も小さい値（Ｚ０からＺｆへの減少幅が最大）でありγ１９が最も大きい値（Ｚ０からＺｆへの減少幅が最小）に設定されている。
【００４１】
したがって、補正係数テーブル５の内容を図２に適用した場合、まず、輝度値Ｚ０が最小値Ｚｍｉｎよりも若干小さい場合（区間Ｍ２）、差分ΔＺの大きさに応じて補正係数γ１〜γ５のいずれかを輝度値Ｚ０に乗じて輝度値Ｚｆが得られる。また、輝度値Ｚ０が最小値Ｚｍｉｎよりも若干大きい場合（区間Ｍ１）、差分ΔＺの大きさに応じて補正係数γ６〜γ９のいずれかを輝度値Ｚ０に乗じて輝度値Ｚｆが得られる。同様に、輝度値Ｚ０が最大値Ｚｍａｘよりも若干大きい場合（区間Ｍ５）、差分ΔＺの大きさに応じて補正係数γ１１〜γ１５のいずれかを輝度値Ｚ０に乗じて輝度値Ｚｆが得られる。また、輝度値Ｚ０が最大値Ｚｍａｘよりも若干小さい場合（区間Ｍ４）、差分ΔＺの大きさに応じて補正係数γ１６〜γ１９のいずれかを輝度値Ｚ０に乗じて輝度値Ｚｆが得られる。
【００４２】
本実施形態では、複数の補正係数γ１〜γ１９（１８個）が規定された補正係数テーブル５を用いて１つの画素の輝度値Ｚ０を輝度値Ｚｆに補正するとともに、映像信号を構成する全ての画素に対してこの補正を繰り返し行うように構成されている。これにより、画素全体として見た場合に、輝度値Ｚｆの推移が、輝度値Ｚ０の閾値（最小値Ｚｍｉｎまたは最大値Ｚｍａｘ）への接近度合いが緩和されながら閾値に到達されるように構成されている。つまり、閾値近傍の輝度値Ｚｆについては閾値への接近度合いを加味しながら閾値に到達させるような調整が行われる。これにより、コンテンツを視聴するユーザにとっては、閾値近傍の輝度値Ｚｆが閾値に一律に（接近度合いを緩和せずに）合わせ込まれた映像を見る場合と異なり、閾値近傍での輝度値Ｚｆの明暗の変化がより滑らかに再現された映像を目にすることが可能となる。
【００４３】
また、輝度値Ｚ０が、図２における区間Ｍ２よりもさらに小さい区間Ｍ３である場合（ΔＺ＜−ｓ１である場合）には、輝度値Ｚ０が閾値近傍から下方に十分に離れた値であると判断されて、図３に示した補正係数γ１〜γ９とは別な補正係数を用いて輝度値Ｚ０を最小値Ｚｍｉｎと略等しい大きさに調整する制御が行われる。区間Ｍ３においては、最小値Ｚｍｉｎと輝度値Ｚ０との差分に応じて補正係数は正比例的に増減される。同様に、輝度値Ｚ０が、図２における区間Ｍ５よりもさらに大きい区間Ｍ６である場合（ΔＺ＞＋ｄ１である場合）にも、輝度値Ｚ０が閾値近傍から上方に十分に離れた値であると判断されて、図３に示した補正係数γ１１〜γ１９とは別な補正係数を用いて輝度値Ｚ０を最大値Ｚｍａｘと略等しい大きさに調整する制御が行われる。区間Ｍ６においても、最大値Ｚｍａｘと輝度値Ｚ０との差分に応じて補正係数は正比例的に増減される。また、輝度値Ｚ０が、図２における区間Ｍ１と区間Ｍ４との間である場合（図３における差分ΔＺの絶対値がｓ９（ｄ９）以下となった場合）には、輝度値Ｚ０が閾値近傍からある程度離れた閾値の内側にもともと収まった値であると判断されて、輝度値Ｚ０に対する調整は何ら行われない。
【００４４】
なお、図３に示すように、差分ΔＺに応じた補正係数γの設定については、最小値Ｚｍｉｎ側（Ａ欄参照）および最大値Ｚｍａｘ側（Ｂ欄参照）においてそれぞれ９段階に設定しているが、これをより多くの段階数に増やして、区間Ｍ１およびＭ２、および、区間Ｍ４およびＭ５を、さらにきめ細かく区分してもよい。差分ΔＺに応じた補正係数γを細かく設定すればする程、閾値近傍における輝度値Ｚｆの推移は、おおよそ飽和曲線または緩和曲線の一部分のような形状を辿るようになる。したがって、閾値に対する接近度合いがさらに自然に緩和されるような輝度値Ｚｆを用いた映像信号の状態でテレビジョン装置２（表示部２６ｃ）に出力することが可能となる。
【００４５】
また、本実施形態では、算出された直後の輝度値Ｚ０を輝度値Ｚｆに調整する際の閾値となる最小値Ｚｍｉｎおよび最大値Ｚｍａｘ（図２参照）は、ユーザによる目視確認によってユーザが再生装置１に対して予め設定することが可能なように構成されている。
【００４６】
具体的には、図４に示すように、コンテンツの再生前においては、制御部１０の指令に基づいて、目視確認用のＯＳＤ画像（映像信号）６がＨＤＭＩトランスミッタ１５からテレビジョン装置２に出力される。このＯＳＤ画像６は、目視確認用の映像（画像）６ｇが表示される領域６ａと、目視確認用の映像６ｇが有する輝度の最小値Ｚｍｉｎをユーザ設定するための領域６ｂと、映像６ｇの輝度の最大値Ｚｍａｘをユーザ設定するための領域６ｃとによって構成されている。また、領域６ｂおよび領域６ｃ内には、それぞれ、領域６ａに表示される目視確認用の映像６ｇの明るさ（輝度）を増減させるための調節バー６ｅと、設定内容を確定するための決定ボタン６ｆとが設けられている。
【００４７】
そして、ユーザが、リモコン４を用いて領域６ｂおよび領域６ｃ内の各々の調節バー６ｅを横（左右）方向にスライド移動させることにより、目視確認用の映像６ｇの輝度値が増減されるとともに、目視確認用の映像６ｇがユーザによって目視されながら輝度の下限値（最小値Ｚｍｉｎ）および上限値（最大値Ｚｍａｘ）がそれぞれ設定されるように構成されている。たとえば、リモコン４の十字キー４ｂを操作して調節バー６ｅを所定の位置に動かし、その後、画面上で決定ボタン６ｆを選択して決定キー４ｃを押下する。これにより、領域６ｂにおいては最小値Ｚｍｉｎを、領域６ｃにおいては最大値Ｚｍａｘがそれぞれ設定される。また、ＯＳＤ画像６を介して設定された最小値Ｚｍｉｎおよび最大値Ｚｍａｘは、再生装置１の主メモリ１３に記憶されるように構成されている。
【００４８】
したがって、本実施形態では、再生装置１でコンテンツが再生されてその映像がテレビジョン装置２から出力される際、ユーザによって予め設定された輝度の下限値（最小値Ｚｍｉｎ）および上限値（最大値Ｚｍａｘ）の範囲内において輝度値Ｚ０が所定の大きさ（＝輝度値Ｚｆ）に調整される。また、調整された輝度値Ｚｆは、ユーザにより設定された最小値Ｚｍｉｎおよび最大値Ｚｍａｘを超えないので、ユーザは、違和感なくコンテンツの視聴を行うことが可能とされている。
【００４９】
また、リモコン４は、図３および図４に示すように、上記した十字キー４ｂおよび決定キー４ｃに加えて、再生装置１本体および再生装置１を介してテレビジョン装置２を操作するための複数の操作ボタン４ｄを含んでいる。このようにして、音声映像出力システム１００は構成されている。
【００５０】
次に、図１、図２、図４および図５を参照して、ユーザによって輝度値Ｚ０を輝度値Ｚｆに調整する際の基準となる閾値としての最小値Ｚｍｉｎおよび最大値Ｚｍａｘを再生装置１に予め設定する際の制御部１０の制御処理フローについて説明する。
【００５１】
まず、図５に示すように、ステップＳ１では、再生装置１（図１参照）とテレビジョン装置２（図１参照）とのＨＤＭＩ接続状態が確立されているか否かが再生装置１の制御部１０（図１参照）によって判断されるとともに、再生装置１とテレビジョン装置２とのＨＤＭＩ接続が確立されたと判断されるまでこの判断が繰り返される。
【００５２】
ステップＳ１において、再生装置１とテレビジョン装置２とのＨＤＭＩ接続が確立された（双方向通信が可能な状態となった）と判断された場合、ステップＳ２では、図示しないメニュー画面などを介して輝度を設定するための設定モードがユーザにより選択されたか否かが判断されるとともに、この設定モードが選択されるまでステップＳ２の判断が繰り返される。
【００５３】
ステップＳ２において、ユーザにより輝度を設定するための設定モードが選択されたと判断された場合、ステップＳ３では、制御部１０の指令に基づき、目視確認用のＯＳＤ画像６（図４参照）がＨＤＭＩトランスミッタ１５（図１参照）からテレビジョン装置２（表示部２６ｃ）に出力される。これにより、ユーザは、リモコン４（図１参照）を用いてＯＳＤ画像６（図４参照）内の領域６ｂおよび領域６ｃの各々の調節バー６ｅをスライド移動させながら領域６ａに表示される目視確認用の映像（白黒画像）６ｇの明るさ（輝度）を増減させて、映像６ｇの輝度の最小値Ｚｍｉｎ（図２参照）および最大値Ｚｍａｘ（図２参照）をそれぞれ設定する。
【００５４】
そして、ステップＳ４では、所定時間（たとえば３分間）内に、目視確認用のＯＳＤ画像６を介して閾値としての輝度の最小値Ｚｍｉｎおよび最大値Ｚｍａｘがそれぞれ設定されたか否かが判断される。ステップＳ４において、最小値Ｚｍｉｎおよび最大値Ｚｍａｘが設定されたと判断された場合、ステップＳ５では、設定された輝度の最小値Ｚｍｉｎおよび最大値Ｚｍａｘが、主メモリ１３（図１参照）に記憶される。
【００５５】
その後、ステップＳ６では、制御部１０により目視確認用のＯＳＤ画像６が表示部２６ｃから消される制御が行われて本制御は終了される。これにより、ユーザによる輝度の閾値の設定が完了される。また、上記したステップＳ４において、所定時間（たとえば３分間）内に輝度の最小値Ｚｍｉｎおよび最大値Ｚｍａｘが設定されない（その後のユーザ操作が入力されていない）と判断された場合にも、処理フローはステップＳ６に移行されて本制御は終了される。
【００５６】
次に、図１〜図３および図６を参照して、コンテンツが再生される際の再生装置１の制御部１０の制御処理フローについて説明する。
【００５７】
まず、図６に示すように、ステップＳ１１において、リモコン４（図１参照）を使用したユーザ操作などによって、再生用のコンテンツが選択されたか否かが制御部１０（図１参照）により判断されるとともに、再生用のコンテンツが選択されたと判断されるまでこの判断が繰り返される。また、ステップＳ１１において、制御部１０により再生用のコンテンツが選択されたと判断された場合、ステップＳ１２では、再生装置１（図１参照）からテレビジョン装置２（図１参照）に対して輝度設定情報Ｙの送信を要求する。すなわち、制御部１０の指令に基づき、テレビジョン装置２が有する輝度設定情報Ｙを要求するためのＣＥＣ制御信号が、ＨＤＭＩトランスミッタ１５を経由してテレビジョン装置２に送信される。
【００５８】
その後、ステップＳ１３では、輝度設定情報Ｙが再生装置１に取得された否かが制御部１０により判断されるとともに、輝度設定情報Ｙが取得されるまでこの判断が繰り返される。すなわち、制御部１０の指令に基づき、テレビジョン装置２から送信された輝度設定情報Ｙが再生装置１によって受信されたか否かが判断される。ステップＳ１３において、制御部１０により輝度設定情報Ｙが再生装置１に取得されたと判断された場合、ステップＳ１４では、再生装置１によって取得された輝度設定情報Ｙが主メモリ１３（図１参照）に記憶される。その後、ステップＳ１５において、選択されたコンテンツの再生動作が実際に開始される。
【００５９】
ここで、本実施形態では、ステップＳ１６において、コンテンツの再生と同時に、コンテンツの映像信号が有する輝度情報Ｘと、ステップＳ１３で予め取得されたテレビジョン装置２が有する輝度設定情報Ｙとに基づいて１つの画素の輝度値Ｚ０が制御部１０により算出される。この場合、輝度情報Ｘと輝度設定情報Ｙとの平均値（＝（輝度情報Ｘ＋輝度設定情報Ｙ）／２）が算出されて輝度値Ｚ０が求められる。
【００６０】
そして、ステップＳ１７では、１つの画素について算出された輝度値Ｚ０が予めユーザにより設定された閾値（最小値Ｚｍｉｎまたは最大値Ｚｍａｘ）近傍以外の値で、かつ、閾値の内側（最小値Ｚｍｉｎよりも大きく最大値Ｚｍａｘよりも小さい範囲）であるか否かが制御部１０により判断される。そして、ステップＳ１７において、算出された輝度値Ｚ０が閾値近傍以外でかつ閾値の内側（図２における区間Ｍ１と区間Ｍ４との間の「調整なし区間」（＝図３における差分ΔＺの絶対値がｓ９（ｄ９）以下））であると判断された場合、ステップＳ１８では、算出された輝度値Ｚ０に対する調整を何ら行うことなく輝度値Ｚ０の状態で映像信号に付加される。これにより、映像信号のうち、ステップＳ１８において「Ｙｅｓ」判定が下された領域（輝度値の範囲）に該当する画素については、輝度値Ｚ０のままでテレビジョン装置２（表示部２６ｃ）に出力される。
【００６１】
また、ステップＳ１７において算出された輝度値Ｚ０が閾値近傍以外でかつ閾値の内側でない（「Ｎｏ」判定）と判断された場合、ステップＳ１９において、算出された輝度値Ｚ０が閾値近傍（最小値Ｚｍｉｎ近傍または最大値Ｚｍａｘ近傍）であるか否かが制御部１０により判断される。
【００６２】
そして、ステップＳ１９において、算出された輝度値Ｚ０が閾値近傍（最小値Ｚｍｉｎ近傍または最大値Ｚｍａｘ近傍）である（「Ｙｅｓ」判定）と判断された場合、ステップＳ２０において、算出された輝度値Ｚ０を輝度値Ｚｆに調整する制御が行われる。
【００６３】
ここで、本実施形態では、閾値近傍における輝度値Ｚ０の大きさ（閾値と輝度値Ｚ０との差分ΔＺ）に応じた補正係数γ１〜γ１９（１８個：図３参照）を用いて１つの画素の輝度値Ｚ０を輝度値Ｚｆに補正する制御が行われる。すなわち、制御部１０の指令に基づいて、主メモリ１３に記憶された補正係数テーブル５（図３参照）が参照されるとともに、閾値と１つの画素について算出された輝度値Ｚ０との差分ΔＺに対応する補正係数がγ１〜γ１９の中から１つ選択される。そして、輝度値Ｚ０に、選択された補正係数γを乗じてこの画素の輝度値Ｚｆが算出される。なお、ステップＳ２０の処理は、輝度値Ｚ０が図２における区間Ｍ１、Ｍ２、Ｍ４およびＭ５のいずれかに該当した場合に行われる処理である。
【００６４】
また、本実施形態では、画素毎の閾値と輝度値Ｚ０との差分ΔＺに対応する補正係数γ（γ１〜γ１９）が個別に選択されるので、補正後の各々の輝度値Ｚｆは、閾値への接近度合いが個々に異なるように輝度値Ｚ０は調整される。そして、画素全体として見た場合においては、画素毎に調整された輝度値Ｚｆの推移が、輝度値Ｚ０の閾値（最小値Ｚｍｉｎまたは最大値Ｚｍａｘ）への接近度合いが緩和されながら閾値に到達されるような調整が行われる。
【００６５】
また、ステップＳ１９において、算出された輝度値Ｚ０が閾値近傍（最小値Ｚｍｉｎ近傍または最大値Ｚｍａｘ近傍）でない（「Ｎｏ」判定）と判断された場合、ステップＳ２１において、算出された輝度値Ｚ０を、閾値である最小値Ｚｍｉｎまたは最大値Ｚｍａｘと略等しい大きさ（Ｚｆ＝ＺｍｉｎまたはＺｍａｘ）に揃えられる制御が行われる。すなわち、ステップＳ１９において「Ｎｏ」判定が下された領域（輝度値の範囲）の画素については、輝度値Ｚ０が閾値近傍から下方または上方に十分に離れた値なので、上記したステップＳ２０のような輝度値の調整制御（Ｚｆ＝Ｚ０×γ）はここでは必要とされない。そして、この画素は、輝度値がＺｍｉｎまたはＺｍａｘに調整された状態で映像信号に付加される。なお、ステップＳ２１の処理は、輝度値Ｚ０が図２における区間Ｍ３およびＭ６のいずれかに該当した場合に行われる処理である。
【００６６】
本実施形態では、上記したステップＳ１７およびステップＳ１８の各々の判断結果に応じて輝度値Ｚ０の調整制御または非調整制御が１つの画素（画素毎）に行われた後に、個々の画素の調整後（非調整後）の輝度値が映像信号に付加されてテレビジョン装置２（表示部２６ｃ）に順次出力される。したがって、コンテンツを視聴するユーザにとっては、映像の輝度が閾値（最小値Ｚｍｉｎまたは最大値Ｚｍａｘ）内に収められるとともに閾値近傍（最小値Ｚｍｉｎ近傍または最大値Ｚｍａｘ近傍）での輝度値Ｚｆの明暗の変化がより滑らかになるように再現された映像を目にすることが可能となる。
【００６７】
その後、ステップＳ２２では、コンテンツの再生動作が終了されたか否かが判断される。すなわち、コンテンツを構成する全ての映像信号がテレビジョン装置２（表示部２６ｃ）に送出されたか否かが制御部１０によって判断される。ステップＳ２２においてコンテンツの再生動作が継続中であると判断された場合、ステップＳ１６まで戻り、以降同様の処理が繰り返される。また、ステップＳ２２においてコンテンツを構成する全ての映像信号がテレビジョン装置２（表示部２６ｃ）に送出されてコンテンツの再生動作が終了されたと判断された場合、本制御は終了される。
【００６８】
本実施形態では、上記のように、輝度値Ｚ０が最小値Ｚｍｉｎよりも所定値だけ大きい第１の閾値以下となる区間Ｍ１およびＭ２では、最小値Ｚｍｉｎへの接近度合いを緩和しながら最小値Ｚｍｉｎまで到達させるように輝度値Ｚ０を輝度値Ｚｆに調整するとともに、輝度値Ｚ０が最大値Ｚｍａｘよりも所定値だけ小さい第２の閾値以上となる区間Ｍ４およびＭ５では、最大値Ｚｍａｘへの接近度合いを緩和しながら最大値Ｚｍａｘまで到達させるように輝度値Ｚ０を輝度値Ｚｆに調整する制御を行うように再生装置１の制御部１０を構成する。これにより、テレビジョン装置２から出力される映像の輝度値Ｚ０が区間Ｍ１およびＭ２において最小値Ｚｍｉｎを下回らない、かつ、区間Ｍ４およびＭ５において最大値Ｚｍａｘを上回らないように輝度値Ｚ０が輝度値Ｚｆにそれぞれ調整される際、最小値Ｚｍｉｎ近傍または最大値Ｚｍａｘ近傍においては、各々の輝度値（最小値Ｚｍｉｎまたは最大値Ｚｍａｘ）への接近度合いを加味しながら到達するように輝度値Ｚ０が輝度値Ｚｆへと調整されるので、最小値Ｚｍｉｎ近傍（区間Ｍ１およびＭ２）または最大値Ｚｍａｘ近傍（区間Ｍ４およびＭ５）の輝度値Ｚ０が最小値Ｚｍｉｎまたは最大値Ｚｍａｘに一律に（接近度合いを緩和せずに）合わせ込まれる場合と異なり、最小値Ｚｍｉｎ近傍または最大値Ｚｍａｘ近傍での輝度値Ｚｆの変化をより滑らかに再現することができる。この結果、ユーザは、最小値Ｚｍｉｎ近傍（区間Ｍ１およびＭ２）または最大値Ｚｍａｘ近傍（区間Ｍ４およびＭ５）における映像輝度の不自然な変化に起因した違和感を伴うことなくコンテンツを快適に視聴することができる。
【００６９】
また、本実施形態では、テレビジョン装置２から出力される映像の輝度値Ｚ０が最小値Ｚｍｉｎを下回らない、かつ、最大値Ｚｍａｘを上回らないように輝度値Ｚ０を輝度値Ｚｆに調整する制御を行うように制御部１０を構成する。これにより、映像中に輝度が明るすぎる部分や暗すぎる部分を生じさせることなくテレビジョン装置２から映像を出力させることができる。
【００７０】
また、本実施形態では、映像信号が有する輝度情報Ｘとテレビジョン装置２に設定されている輝度設定情報Ｙとに基づいて、テレビジョン装置２から出力される映像の輝度値Ｚ０を算出する制御部１０を備える。これにより、コンテンツの映像信号をテレビジョン装置２から出力させる際に、コンテンツの輝度情報Ｘとテレビジョン装置２の輝度設定情報Ｙとに基づいて輝度値Ｚ０が算出される場合においても、算出された輝度値Ｚ０に対する輝度値Ｚｆへのさらなる調整が行われるので、本発明における輝度値Ｚ０の調整制御を有効に働かせることができる。
【００７１】
また、本実施形態では、最小値Ｚｍｉｎを中心として最小値Ｚｍｉｎ近傍前後の区間Ｍ１およびＭ２を推移する調整前の輝度値Ｚ０については、調整後の輝度値Ｚｆが最小値Ｚｍｉｎよりも大きい側から最小値Ｚｍｉｎに向けて接近度合いを緩和しながら最小値Ｚｍｉｎまで減少するように輝度値Ｚ０を調整するとともに、最大値Ｚｍａｘを中心として最大値Ｚｍａｘ近傍前後の区間Ｍ４およびＭ５を推移する調整前の輝度値Ｚ０については、調整後の輝度値Ｚｆが最大値Ｚｍａｘよりも小さい側から最大値Ｚｍａｘに向けて接近度合いを緩和しながら最大値Ｚｍａｘまで増加するように輝度値Ｚ０を調整する制御を行うように制御部１０を構成する。これにより、最小値Ｚｍｉｎ側については、最小値Ｚｍｉｎの手前側の若干大きな輝度値Ｚ０（第１の閾値）の状態から最小値Ｚｍｉｎを若干下回った輝度値Ｚ０までの範囲に向けて変化する調整前の輝度値Ｚ０を、最小値Ｚｍｉｎへの接近度合いを緩和させながら最小値Ｚｍｉｎまで到達（減少）させることができる。反対に、最大値Ｚｍａｘ側については、最大値Ｚｍａｘの手前側の若干小さな輝度値Ｚ０（第２の閾値）の状態から最大値Ｚｍａｘを若干上回った輝度値Ｚ０までの範囲に向けて変化する調整前の輝度値Ｚ０を、最大値Ｚｍａｘへの接近度合いを緩和させながら最大値Ｚｍａｘまで到達（増加）させることができる。これにより、最小値Ｚｍｉｎ近傍および最大値Ｚｍａｘ近傍での調整後の輝度値Ｚｆの滑らかな変化を、容易にかつ自然に実現することができる。
【００７２】
また、本実施形態では、輝度値Ｚ０が最小値Ｚｍｉｎよりも大きい場合に加えて最小値Ｚｍｉｎよりも小さい場合においても最小値Ｚｍｉｎよりも大きい側から最小値Ｚｍｉｎに向けて接近度合いを緩和しながら最小値Ｚｍｉｎまで減少させるように輝度値Ｚ０を輝度値Ｚｆに調整する制御を行うように制御部１０を構成する。また、輝度値Ｚ０が最大値Ｚｍａｘよりも小さい場合に加えて最大値Ｚｍａｘよりも大きい場合においても最大値Ｚｍａｘよりも小さい側から最大値Ｚｍａｘに向けて接近度合いを緩和しながら最大値Ｚｍａｘまで増加させるように輝度値Ｚ０を輝度値Ｚｆに調整する制御を行うように制御部１０を構成する。これにより、閾値近傍の輝度値Ｚ０のうち閾値を超えた部分の輝度値Ｚ０に関しても、輝度値Ｚ０の閾値（最小値Ｚｍｉｎまたは最大値Ｚｍａｘ）の手前側（最小値Ｚｍｉｎについては若干上側であり、最大値Ｚｍａｘについては若干下側）から閾値に向けて接近度合いを緩和しながら到達させることができるので、閾値近傍での輝度値Ｚ０の変化をより自然に再現することができる。
【００７３】
また、本実施形態では、最小値Ｚｍｉｎ近傍または最大値Ｚｍａｘ近傍において、補正係数γを用いて閾値（最小値Ｚｍｉｎまたは最大値Ｚｍａｘ）への接近度合いを緩和しながら最小値Ｚｍｉｎまたは最大値Ｚｍａｘまで到達させるように輝度値Ｚ０を輝度値Ｚｆに調整する制御を行うように制御部１０を構成する。ここで、補正係数γは、調整前の輝度値Ｚ０と閾値との差分に応じてγ１〜γ１９まで（１８個）が予め設定されている。そして、調整前の輝度値Ｚ０と閾値（最小値Ｚｍｉｎまたは最大値Ｚｍａｘ）との差分ΔＺに応じて設定された補正係数γ（γ１〜γ１９）を輝度値Ｚ０毎に乗じて補正することにより最小値Ｚｍｉｎまたは最大値Ｚｍａｘへの接近度合いを緩和しながら最小値Ｚｍｉｎまたは最大値Ｚｍａｘまで到達させるように輝度値Ｚ０を輝度値Ｚｆに調整するように制御部１０を構成する。これにより、映像の輝度値Ｚ０に関する最小値Ｚｍｉｎおよび最大値Ｚｍａｘ（閾値）がどのような範囲で設定されていても、調整前の輝度値Ｚ０と最小値Ｚｍｉｎまたは最大値Ｚｍａｘとの差分ΔＺに応じて予め複数設定された補正係数γ（γ１〜γ１９）を用いて、最小値Ｚｍｉｎ近傍（区間Ｍ１およびＭ２）および最大値Ｚｍａｘ近傍（区間Ｍ４およびＭ５）における輝度値Ｚ０を簡便な方法で輝度値Ｚｆへと容易に調整することができる。
【００７４】
また、本実施形態では、目視確認用のＯＳＤ画像６をＨＤＭＩトランスミッタ１５からテレビジョン装置２に出力する制御を行うように制御部１０を構成する。そして、最小値Ｚｍｉｎおよび最大値Ｚｍａｘ（閾値）は、テレビジョン装置２から出力された目視確認用のＯＳＤ画像６の輝度値が、ユーザにより目視確認用のＯＳＤ画像６が目視されながら調整されることによって予め設定されるように構成されている。これにより、テレビジョン装置２から出力される映像の輝度値Ｚ０に関する最小値Ｚｍｉｎおよび最大値Ｚｍａｘをユーザの好みに合わせてコンテンツの視聴前に設定することができる。この結果、ユーザは、より快適な視聴を行うことができる。
【００７５】
また、本実施形態では、ＨＤＭＩトランスミッタ１５は、テレビジョン装置２に設定されている輝度設定情報Ｙを取得するように構成されており、コンテンツを再生する際に、コンテンツの映像信号が有する輝度情報ＸとＨＤＭＩトランスミッタ１５により取得されたテレビジョン装置２の輝度設定情報Ｙとに基づいて輝度値Ｚ０を順次再生前に算出するとともに、テレビジョン装置２から出力される映像の輝度値Ｚ０が最小値Ｚｍｉｎ下回らない、かつ、最大値Ｚｍａｘを上回らないように、順次再生前に算出された輝度値Ｚ０を輝度値Ｚｆに調整する制御を行うように制御部１０を構成する。これにより、コンテンツの再生と同時にテレビジョン装置２から出力される映像の輝度値Ｚ０を逐次的に輝度値Ｚｆへと調整することができるので、コンテンツに含まれる全ての映像信号に対する輝度値（輝度値Ｚ０）の調整制御を先に行った後に、調整後の輝度値（輝度値Ｚｆ）に基づいてコンテンツを再生する場合と異なり、コンテンツの再生動作を遅延させることなく調整された輝度値Ｚｆに基づいてコンテンツを再生することができる。これにより、輝度値Ｚｆの調整が行われたコンテンツであっても再生動作に遅延が生じない分、ユーザは快適な視聴を行うことができる。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
たとえば、上記実施形態では、補正係数テーブル５に予め用意された有限個数の補正係数γ（１８個）を用いて閾値（最小値Ｚｍｉｎまたは最大値Ｚｍａｘ）への接近度合いを緩和しながら閾値まで到達させるように輝度値Ｚ０を調整する制御を行った例について示したが、本発明はこれに限られない。たとえば、最小値Ｚｍｉｎまたは最大値Ｚｍａｘなどの閾値への接近度合いが緩和される推移を、緩和曲線を記述可能な所定の関数として予め設定しておき、輝度値Ｚｆがこの関数（緩和曲線）を辿るように輝度値Ｚ０を調整する制御を行うように構成してもよい。関数を用いれば、接近度合いが無段階に調整できるので、輝度のより自然な調整を行うことができる。
【００７８】
また、上記実施形態では、制御部１０により、コンテンツを再生する際に輝度情報Ｘと輝度設定情報Ｙとの相加平均（Ｚ０＝（輝度情報Ｘ＋輝度設定情報Ｙ）／２）に基づいて調整前の輝度値Ｚ０を求めた例について示したが、本発明はこれに限られない。本発明では、輝度情報Ｘと輝度設定情報Ｙとの相乗平均（Ｚ０＝（輝度情報Ｘ＋輝度設定情報Ｙ）１／２）に基づいて調整前の輝度値Ｚ０を求めてもよい。あるいは、このように単なる算術平均値を用いるのではなく、たとえば、コンテンツの輝度情報Ｘに重み付けが行われた値と輝度設定情報Ｙとに基づいて輝度値Ｚ０を求めてもよい。この場合、Ｚ０＝（輝度情報Ｘ×α＋輝度設定情報Ｙ×β）／２（ただし、α＞０、β＞０、α＞β、かつ、α＋β＝１）として求められる。この変形例のように構成すれば、調整前の輝度値Ｚ０には、コンテンツの輝度情報Ｘの特徴がより大きく反映されるので、本発明の調整制御がなされた輝度値Ｚｆにもコンテンツ本来の映像輝度の特徴をより多く残すことができる。したがって、調整後の映像であってもコンテンツ本来の映像表現上の効果（迫力）を極力犠牲にすることなくユーザに対して視聴させることができる。
【００７９】
また、上記実施形態では、制御部１０により、コンテンツを再生する際に輝度情報Ｘと輝度設定情報Ｙとに基づいて輝度値Ｚ０を順次再生前に算出するとともに、輝度値Ｚ０が閾値（最小値Ｚｍｉｎまたは最大値Ｚｍａｘ）を超えないように調整する制御を行うように構成した例について示したが、本発明はこれに限られない。たとえば、コンテンツを再生する際に輝度情報Ｘに基づいてコンテンツ全体または各チャプターを通しての輝度値Ｚ０の範囲（最小値Ｚ０ｍｉｎおよび最大値Ｚ０ｍａｘ）を予め把握してもよい。そして、予め把握された最小値Ｚ０ｍｉｎ以上最大値Ｚ０ｍａｘ以下の輝度値Ｚ０を、本発明の閾値（最小値Ｚｍｉｎおよび最大値Ｚｍａｘ）を超えないように輝度値Ｚ０を最小値Ｚｍｉｎと最大値Ｚｍａｘとの間に収めるにあたって、閾値（最小値Ｚｍｉｎおよび最大値Ｚｍａｘ）近傍において、閾値への接近度合いを緩和しながら閾値まで到達させるように調整してもよい。輝度値Ｚ０の範囲（Ｚ０ｍｉｎ〜Ｚ０ｍａｘ）が予め把握される分、最小値Ｚｍｉｎと最大値Ｚｍａｘとをどのような範囲で設定しても、最小値Ｚｍｉｎと最大値Ｚｍａｘとの間に輝度値Ｚ０（Ｚ０ｍｉｎ〜Ｚ０ｍａｘ）をバランスよく収めることができる。
【００８０】
また、上記実施形態では、再生装置１を本発明の「映像信号出力機器」とし、テレビジョン装置２を本発明の「外部機器」として音声映像出力システム１００を構成する例について示したが、本発明はこれに限られない。たとえば、アンプ（増幅器）を本発明の「映像信号出力機器」とし、テレビジョン装置を本発明の「外部機器」として音声映像出力システムを構成してもよい。この場合、アンプは、再生装置１から映像信号が受信されるとともに、テレビジョン装置に映像信号を送信するように構成される。また、アンプは、テレビジョン装置での輝度値を調整する制御を行う本発明の「制御部」を備える構成になる。また、再生装置１を本発明の「映像信号出力機器」とし、映像を出力可能な表示部を含むアンプを本発明の「外部機器」として構成してもよい。また、音声映像出力システムを、映像信号出力機器と外部機器とが一体的に組み込まれた機器からなるように構成してもよい。この場合、機器本体内でシリアル通信などを使用して互いに制御信号の送受信を行うことが可能である。
【００８１】
また、上記実施形態では、再生装置１とテレビジョン装置２とを接続ケーブル３により接続して双方向通信を行う例について示したが、本発明はこれに限られない。本発明の「映像信号出力機器」と「外部機器」とを有線ＬＡＮまたは無線ＬＡＮにより接続して双方向通信を行ってもよいし、Ｗｉｒｅｌｅｓｓ−ＨＤにより接続して双方向通信を行ってもよい。また、本発明の「映像信号出力機器」と「外部機器」とをＩＥＥＥ１３９４の規格に基づいて接続して双方向通信を行うように構成してもよい。
【００８２】
また、上記実施形態では、説明の便宜上、再生装置１の制御部１０の処理を制御処理フローに沿って順番に処理を行うフロー駆動型のフローチャートを用いて説明したが、本発明はこれに限られない。本発明では、制御部１０の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８３】
１  再生装置（映像信号出力機器）
２  テレビジョン装置（外部機器）
６ｇ  映像（目視確認用の映像）
１０  制御部（取得部、算出部、調整部）
１５  ＨＤＭＩトランスミッタ（映像信号出力部）
１００  音声映像出力システム（映像出力システム）
Ｍ１、Ｍ２  区間（第１区間）
Ｍ４、Ｍ５  区間（第２区間）
Ｘ  輝度情報
Ｙ  輝度設定情報
Ｚ０  輝度値（第１の輝度値）
Ｚｆ  輝度値（第２の輝度値）
Ｚｍｉｎ  最小値（最小輝度値）
Ｚｍａｘ  最大値（最大輝度値）
γ、γ１〜γ１９  補正係数
ΔＺ  差分
【図１】
2014013990.tif 000003
【図２】
2014013990.tif 000004
【図３】
2014013990.tif 000005
【図４】
2014013990.tif 000006
【図５】
2014013990.tif 000007
【図６】
2014013990.tif 000008